(57)【特許請求の範囲】
【請求項１】
筐体と、洗浄槽と、前記洗浄槽の下部に設けられる装着プレートを含み、前記装着プレートはダンパーを介して前記筐体に接続され、前記洗浄槽は、洗浄段階では貯水槽となり、脱水段階では前記装着プレートに対し回転可能となる洗濯機であって、
前記装着プレートの外縁と筐体の間には沈下型の集水構造が設けられており、前記集水構造の外周側は前記筐体の内壁に密封接続されることを特徴とする洗濯機。
【請求項２】
前記集水構造の底部には副排水口が設けられており、前記副排水口は前記洗濯機の外部と連通することを特徴とする請求項１に記載の洗濯機。
【請求項３】
前記集水構造の外周側と前記筐体の内壁との接続箇所の水平高さは、内周側と前記装着プレートとの接続箇所の水平高さよりも低いことを特徴とする請求項１又は２に記載の洗濯機。
【請求項４】
前記集水構造の内周側は前記装着プレートの外縁に弾性的に接続されることを特徴とする請求項１〜３のいずれかに記載の洗濯機。
【請求項５】
前記集水構造は、前記装着プレートと前記筐体の間に設けられる受水リングを含み、前記受水リングは、内周側が複数の弾性懸架部材を介して前記装着プレートの外縁に接続され、外周側が前記筐体の内壁に設けられる装着構造に密封接続され、前記受水リングの上部は開放口となっており、底部には副排水口が設けられることを特徴とする請求項１〜４のいずれかに記載の洗濯機。
【請求項６】
前記弾性懸架部材は上下に懸架される引張バネであり、前記引張バネは、上端が前記装着プレートの辺縁に接続され、下端が前記受水リングの側壁に接続されることを特徴とする請求項５に記載の洗濯機。
【請求項７】
前記装着構造は、前記筐体の内壁から水平に延伸する水平部と、前記水平部に接続されて下方に延伸する環状フランジを含み、前記受水リングの一方の側壁は、前記環状フランジのうち前記装着プレートに背を向ける側に固定されるとともに、締結リングによって押圧方式で環状フランジに固定されることを特徴とする請求項５に記載の洗濯機。
【請求項８】
前記洗浄槽の周壁には排水経路が設けられ、排水経路は上から下へ排水することを特徴とする請求項１に記載の洗濯機。
【請求項９】
前記洗浄槽の上端には集水リングが設けられ、前記集水リングの内側には脱水口が設けられ、前記排水経路は、上端が前記集水リングに連通するとともに、下端が前記洗浄槽の底部に設けられる排水口と連通することを特徴とする請求項８に記載の洗濯機。
【請求項１０】
前記洗浄槽の底部の排水口には、前記排水口の開閉を制御するバルブプラグが装着されており、洗浄段階では前記バルブプラグが閉止するよう制御され、排水及び脱水段階では前記バルブプラグが開放するよう制御されることを特徴とする請求項９に記載の洗濯機。
【請求項１１】
前記装着プレートの上面には突出する止水リングが設けられており、前記止水リングは、前記装着プレートの上面から上方に一定の高さだけ延伸することで洗浄水を収容する凹溝構造を形成し、排水経路の吐水口は前記凹溝構造内に位置し、前記集水構造は止水リングの外側に位置することを特徴とする請求項８に記載の洗濯機。
【請求項１２】
前記装着プレート上であって前記止水リングの内側には主排水口が設けられ、前記主排水口は洗濯機の排水管を介して洗濯機の外部と連通し、集水構造の底部には副排水口が設けられ、前記副排水口は分岐管を介して洗濯機の排水管に接続されることを特徴とする請求項１１に記載の洗濯機。
【請求項１３】
前記排水経路は水路ハウジングと洗浄槽壁の一部を含み、前記水路ハウジングのうち前記洗浄槽壁に面する側には上下に貫通する溝が設けられ、前記水路ハウジングは、前記洗浄槽壁に掛合して前記洗浄槽壁と共に水流経路を取り囲むことを特徴とする請求項８に記載の洗濯機。
【請求項１４】
前記集水リング内には、洗浄水を排水経路に案内する止水板が設けられ、前記止水板は排水経路における給水口の上方に位置し、水平面と一定の角度をなすよう傾斜して設置されることを特徴とする請求項９に記載の洗濯機。
【請求項１５】
前記集水リングのうち前記洗浄槽の軸心に面する側は円弧状面となっており、前記円弧状面は、前記洗浄槽の軸方向に沿って、下から上へ徐々に前記洗浄槽の中心方向に向かって湾曲し、前記集水リングの脱水口は円弧状面の底部基端に設けられることを特徴とする請求項９に記載の洗濯機。
【請求項１６】
更に、前記装着プレートにはロック機構が設けられ、前記ロック機構は洗浄槽の底部に位置し、洗浄段階において、前記ロック機構は前記洗浄槽の回転を規制するよう前記洗浄槽と係合することを特徴とする請求項１に記載の洗濯機。
【発明の詳細な説明】
【技術分野】
【０００１】
本発明は洗濯機器に関し、特に洗濯機に関する。
【背景技術】
【０００２】
一般的に、従来のパルセータ洗濯機は、洗浄槽、外槽、ダンパー及び動力システムを含んで構成される。洗濯時及び脱水時には、洗浄槽が外槽に対し回転することで衣類と洗浄水の間に作用が生じ、衣類を洗浄又は脱水するとの目的が達せられる。このうち、外槽は貯水槽であり、洗濯過程において衣類と接触することはない。外槽は洗浄槽の外部に装着されて洗浄槽を支持する。従来の洗濯機の外槽は洗浄槽に対し体積が大きいため、内槽と外槽の間に多くの洗浄水が残留し、十分に活用することができない。こうした配置は節水に不利なだけでなく、洗濯機全体の体積も大幅に増大する。
【０００３】
特許文献１は、一槽式の節水型洗濯機を開示している。前記洗濯機は、洗浄槽の槽口に集水装置が設けられ、集水装置の集水口が洗浄槽に沿って槽口を取り囲んでいる。集水装置のうち槽口部分に位置する集水室は、洗浄槽の外壁に沿って上から下に対称に配置される複数の排水管に接続されている。脱水時には、集水装置が高速回転により遠心分離された水流を収集し、下方に案内して排出する。当該特許では外槽を省略しているが、排水管が槽の外側に位置している。そのため、洗濯機の脱水時に筐体の内壁と衝突しやすく、排水管が摩耗して漏水してしまう。且つ、漏出した洗浄水はモータ等の機器にそのまま入り込み、洗濯機が短絡して故障する。
【０００４】
上記に鑑みて、本発明を提案する。
【先行技術文献】
【特許文献】
【０００５】
【特許文献１】中国特許出願第９９２３０４５５．５号明細書
【発明の概要】
【発明が解決しようとする課題】
【０００６】
本発明は、従来技術における瑕疵を解消し、洗浄槽の容積を拡大可能であり、節水効果が向上するとともに、洗浄水が外部に飛散することによる電気機器の短絡を防止可能な洗濯機を提供することを目的とする。
【課題を解決するための手段】
【０００７】
上記の目的を実現するために、本発明では以下の技術方案を用いる。
【０００８】
洗濯機であって、筐体と、洗浄槽と、洗浄槽の下部に設けられる装着プレートを含み、前記装着プレートはダンパーを介して筐体に接続され、洗浄槽は、洗浄段階では貯水槽となり、脱水段階では装着プレートに対し回転可能となる。装着プレートの外縁と筐体の間には沈下型の集水構造が設けられており、前記集水構造の外周側は筐体の内壁に密封接続される。
【０００９】
更に、前記集水構造の底部には副排水口が設けられており、前記副排水口は洗濯機の外部と連通する。
【００１０】
更に、前記集水構造の外周側と筐体の内壁との接続箇所の水平高さは、内周側と装着プレートとの接続箇所の水平高さよりも低い。
【００１１】
更に、前記集水構造の内周側は装着プレートの外縁に弾性的に接続される。
【００１２】
更に、前記集水構造は、装着プレートと筐体の間に設けられる受水リングを含み、前記受水リングは、内周側が複数の弾性懸架部材を介して装着プレートの外縁に接続され、外周側が筐体の内壁に設けられる装着構造に密封接続され、受水リングの上部は開放口となっており、底部には副排水口が設けられる。
【００１３】
更に、前記弾性懸架部材は上下に懸架される引張バネであり、引張バネは、上端が装着プレートの辺縁に接続され、下端が受水リングの側壁に接続される。
【００１４】
更に、前記装着構造は、筐体の内壁から水平に延伸する水平部と、水平部に接続されて下方に延伸する環状フランジを含み、前記受水リングの一方の側壁は、環状フランジのうち装着プレートに背を向ける側に固定されるとともに、締結リングによって押圧方式で環状フランジに固定される。
【００１５】
更に、前記洗浄槽の周壁には排水経路が設けられ、排水経路は上から下へ排水する。
【００１６】
更に、前記洗浄槽の上端には集水リングが設けられ、前記集水リングの内側には脱水口が設けられ、前記排水経路は、上端が集水リングに連通するとともに、下端が洗浄槽の底部に設けられる排水口と連通する。
【００１７】
更に、前記洗浄槽の底部の排水口には、前記排水口の開閉を制御するバルブプラグが装着されており、洗浄段階ではバルブプラグが閉止するよう制御され、排水及び脱水段階ではバルブプラグが開放するよう制御される。
【００１８】
更に、前記装着プレートの上面には突出する止水リングが設けられており、止水リングは、装着プレートの上面から上方に一定の高さだけ延伸することで洗浄水を収容する凹溝構造を形成し、排水経路の吐水口は凹溝構造内に位置し、前記集水構造は止水リングの外側に位置する。
【００１９】
更に、装着プレート上であって止水リングの内側には主排水口が設けられ、前記主排水口は洗濯機の排水管を介して洗濯機の外部と連通し、集水構造の底部には副排水口が設けられ、副排水口は分岐管を介して洗濯機の排水管に接続される。
【００２０】
更に、前記排水経路は水路ハウジングと洗浄槽壁の一部を含み、前記水路ハウジングのうち洗浄槽壁に面する側には上下に貫通する溝が設けられ、水路ハウジングは、洗浄槽壁に掛合して洗浄槽壁と共に水流経路を取り囲む。
【００２１】
更に、前記集水リング内には、洗浄水を排水経路に案内する止水板が設けられ、前記止水板は排水経路における給水口の上方に位置し、水平面と一定の角度をなすよう傾斜して設置される。
【００２２】
更に、前記集水リングのうち洗浄槽の軸心に面する側は円弧状面となっており、前記円弧状面は、洗浄槽の軸方向に沿って、下から上へ徐々に洗浄槽の中心方向に向かって湾曲し、集水リングの脱水口は円弧状面の底部基端に設けられる。
【００２３】
更に、前記装着プレートにはロック機構が設けられ、前記ロック機構は洗浄槽の底部に位置し、洗浄段階において、ロック機構は洗浄槽の回転を規制するよう洗浄槽と係合する。
【発明の効果】
【００２４】
本発明における上記技術方案を用いれば、以下の有益な効果が得られる。
【００２５】
本発明の洗濯機は外槽構造を省略しており、洗浄槽が貯水槽構造として設計されるため、洗浄水の利用率を向上可能であるとともに、洗浄水の使用量が減少する。また、外槽を省略することで洗浄槽の体積をより大きく設けられるため、これに応じて洗浄する衣類の量を増やすことができ、洗濯機の容量を拡大するとの目的が達せられる。一方、本発明の装着プレートと筐体の間には、筐体の内壁に沿って流れ落ちる洗浄水を収集する集水構造が設けられている。よって、洗浄水が外部に飛散して洗濯機が短絡するとの問題が回避され、洗濯機の使用寿命が効果的に延長される。
【図面の簡単な説明】
【００２６】
【図１】図１は、本発明の構造の断面図である。
【図２】図２は、本発明の排水経路の一部の構造図である。
【図３】図３は、図２のＹ部分の拡大図である。
【図４】図４は、図１のＫ部分の拡大図である。
【発明を実施するための形態】
【００２７】
以下に、図面を組み合わせて、本発明の具体的実施形態について更に詳細に述べる。
【００２８】
図１に示すように、洗濯機は、筐体１、洗浄される衣類を収容する洗浄槽２、洗浄槽２を回転駆動する動力装置３、洗浄槽２の下部に装着される装着プレート４、及び、装着プレート４と筐体１を接続するダンパーを含む。前記洗浄槽２は回転可能に筐体１内に設けられる。また、洗浄槽２は装着プレート４に載置されるとともに、装着プレート４に対し回転可能である。洗浄槽２は、貯水槽として洗浄水の収容に用いられる。装着プレート４は洗浄槽２を支持するために用いられるとともに、ダンパーを介して筐体１に可動に接続される。洗浄又は脱水時において、洗浄槽２と装着プレート４には震動が発生するが、前記震動はダンパーに伝達されて吸収される。
【００２９】
図４を組み合わせて、前記洗浄槽２の底部には排水口が設けられている。また、前記装着プレート４の上面には、突出する止水リング１２が設けられている。止水リング１２は、装着プレート４の上面から洗浄槽２の方向に突出するとともに、一定の高さだけ延伸することで洗浄水を収容する凹溝構造を形成している。装着プレート４上であって止水リング１２の内側には主排水口１６が設けられており、洗浄槽２底部の排水口と連通する。更に、装着プレート４の外縁と筐体１の間には集水構造１８が設けられている。筐体１の内壁に沿って流れ落ちる洗浄水を収集すべく、前記集水構造１８の少なくとも一方の側は筐体１の内壁に接続されている。また、集水構造１８の底部には副排水口１７が設けられている。前記主排水口１６と副排水口１７は、それぞれ洗濯機の外部と連通する。
【００３０】
具体的に、前記主排水口１６は洗濯機の排水管６を介して洗濯機の外部と連通し、副排水口１７は分岐管１９を介して洗濯機の排水管６に接続される。
【００３１】
前記洗浄槽２の上端にはバランスリング７が設けられており、バランスリング７の下側に集水リング８が設けられている。また、洗浄槽２の周壁内側には排水経路５が設けられており、前記集水リング８が排水経路５と連通する。集水リング８の内側又は洗浄槽２を向く側には脱水口が設けられている。前記排水経路５は縦向きに設けられ、上端が集水リング８に連通するとともに、下端が洗浄槽底部の排水口と連通する。洗浄槽２は一定のテーパーを有する。洗浄槽２が高速回転すると、洗浄槽２内の洗浄水が遠心力の作用で洗浄槽壁に沿って上方へと昇り、一定高さまで上昇したあと集水リング８の脱水口から集水リング８内に進入する。洗浄水は集水リング８内で環状に流動するが、洗浄槽２の回転数が低下すると、排水経路５に沿って下方へと流動して洗浄槽底部の排水口から排出される。
【００３２】
図２及び図３を参照すると、好ましくは、前記集水リング８内には、洗浄水を排水経路５に案内する止水板１３が設けられている。前記止水板１３は排水経路５における給水口の上方に位置し、水平面と一定の角度をなすよう傾斜して設置される。洗浄水は、集水リング８内で環状に流動する際に止水板１３に衝突する。止水板１３における水流方向に向かう側は下方に傾斜して設けられるため、水流は止水板１３に衝突すると流動方向が変わり、槽の周方向に沿った流動から槽壁に沿う下方への流動へと変化して排水経路５に進入する。止水板１３により集水リング８内の水流の流動方向が変化することから、高速脱水時に集水リング８内の水流を排水経路５内に流入させられる。これにより、集水リング８内の水量が過剰になるとの事態が回避される。
【００３３】
前記洗浄槽２底部の排水口にはバルブプラグ１５が装着されている。前記バルブプラグ１５は止水リング１２の内側に位置している。洗浄段階ではバルブプラグ１５が閉止状態となる一方、脱水段階ではバルブプラグ１５が開放状態となる。バルブプラグ１５が開放されると、洗浄槽２内の洗浄水が凹溝構造に流入し、洗濯機の排水管６から洗濯機の外部に排出される。
【００３４】
具体的に、前記集水構造１８は、更に装着プレート４の外縁に弾性的に接続される。前記集水構造１８は、装着プレート４と筐体１の間に設けられる受水リング２１を含む。前記受水リング２１の上部は開放口となっており、底部には前記副排水口１７が設けられている。受水リング２１は環状構造をなしており、一方の側が複数の弾性懸架部材２０を介して装着プレート４の外縁に接続されるとともに、他方の側が筐体１の内壁から延伸する装着構造に密封接続される。装着プレート４が上下に運動する際、弾性懸架部材２０はこれに応じて変形することで装着プレート４の運動に適応する。
【００３５】
好ましくは、前記弾性懸架部材２０は引張バネである。引張バネは、上端が装着プレート４の辺縁に接続され、下端が受水リング２１の側壁に接続される。前記引張バネは複数とし、且つ、受水リング２１の内周側に均一に配置する。
【００３６】
前記装着構造は、筐体１の内壁から水平に延伸する水平部２３と、水平部２３に接続されて下方に延伸する環状フランジ２４を含む。前記受水リング２１の一方の側壁は、環状フランジ２４のうち装着プレート４に背を向ける側に固定されるとともに、締結リング２２によって押圧方式で環状フランジ２４に固定される。
【００３７】
前記装着構造は筐体１と一体的に成型してもよいし、別個に製造してから筐体１の内壁に装着し、接続箇所を密封処理してもよい。
【００３８】
好ましくは、止水リング１２は洗浄槽２の底面よりも高さが略高くなっており、且つ、洗浄槽２の回転時に衝突しないよう、洗浄槽２の外周壁との間に大きな隙間が保持されている。
【００３９】
前記排水経路５の下端は洗浄槽２底部の排水口に接続される。前記排水口は洗濯機のパルセータの下方に位置し、排水経路５は前記排水口箇所まで延伸している。排水経路５は水路ハウジング１１と洗浄槽壁の一部を含む。前記水路ハウジング１１のうち洗浄槽壁に面する側には上下に貫通する溝が設けられている。水路ハウジング１１は洗浄槽壁に掛合し、洗浄槽壁と共に水流経路を取り囲む。水路ハウジング１１は従来の洗濯機の内槽における水路構造と類似しているが、水路ハウジング１１の上端が集水リング８まで延伸して接続されるとともに、水路ハウジング１１のうち洗浄槽２の軸線に面する側が吐水口を有さない点で異なっている。
【００４０】
水路ハウジング１１に並列する複数の溝を設け、複数の水流経路を形成してもよい。
【００４１】
好ましくは、水路ハウジング１１は取り外し可能に洗浄槽２に装着される。前記水路ハウジング１１の底部にはフックが設けられており、前記洗浄槽２の槽壁には前記フックに係合する係合口が設けられている。また、水路ハウジング１１は上部にネジ孔が設けられており、ネジにより洗浄槽２に固定接続される。水路ハウジング１１を装着する際には、フックを係合口に係合して水路ハウジング１１を位置決め及び支持してから、ネジにより水路ハウジング１１を洗浄槽２に固定する。
【００４２】
好ましくは、前記水路ハウジング１１のうち洗浄槽の軸線に面する側には、衣類と接触して擦れ合う突起又は筋が設けられている。洗濯過程において、水路ハウジング１１のうち洗浄槽の軸線に面する表面は、衣類と擦れ合う作用を奏し得る。
【００４３】
脱水時に洗浄水が洗浄槽２から溢れることのないよう、前記集水リング８のうち洗浄槽の軸心に面する側は円弧状面となっている。前記円弧状面は、洗浄槽の軸方向に沿って、下から上へ徐々に洗浄槽２の中心方向に向かって湾曲することで、洗浄槽２の上端の開口を徐々に縮小させている。集水リング８の脱水口は、円弧状面の底部基端に設けられている。洗浄水が槽壁に沿って上昇すると、集水リング８の円弧状面が水流の上昇継続を阻む作用を奏し、水流を集結させて集水リング８の脱水口へと流入させる。
【００４４】
前記動力装置は装着プレート４の底部に装着され、モータ及び減速クラッチを含む。モータの回転軸は減速クラッチを介して洗浄槽の底に接続され、洗浄槽２を回転駆動させる。前記減速クラッチの出力軸は、装着プレート４を貫通して洗浄槽２に接続される。出力軸と装着プレート４の間には、少なくとも１つの動的シールが設けられている。好ましくは、前記装着プレート４の底部には下方に突出する複数の補強リブが設けられている。
【００４５】
更に、前記装着プレート４の上面にはロック機構１４が設けられている。前記ロック機構１４は洗浄槽２の底部に位置し、洗浄槽２と係合することで洗浄槽２の回転を規制する。前記ロック機構１４は、洗浄槽２をロックして洗浄槽２の回転を防止可能である。洗浄段階において、ロック機構１４は洗浄槽２が回転不可能となるよう洗浄槽２をロックする。一方、脱水段階において、ロック機構１４は洗浄槽２が回転可能となるようロックを解除する。
【００４６】
前記ダンパーは、懸架ロッド９と懸架ロッドベース１０を含む。前記懸架ロッド９は、上端が筐体１に接続されるとともに、下端が懸架ロッドベース１０に接続される。前記装着プレート４の辺縁には、懸架ロッドベース１０と係合する係合口が設けられている。前記懸架ロッドベース１０は係合口内に係合されるとともに、装着プレート４の下側に位置する。懸架ロッドベース１０内にはバネが装着されている。装着プレート４と洗浄槽２の重力の作用下で懸架ロッドベース１０内のバネは圧縮されるとともに、洗浄槽２の震動時に制震機能を発揮する。装着プレート４は洗浄槽２の下部に位置するため、懸架ロッドベース１０は洗浄槽２の下方に位置し、洗浄槽２と筐体１の間のスペースを占有することがない。そのため、洗浄槽２の容積拡大に有利となる。
【００４７】
本発明の脱水過程では、脱水前に洗浄槽２内の水を洗浄槽２底部の排水口から排出したあと、モータにより洗浄槽２を高速で回転駆動する。すると、洗浄槽２に残留した水が遠心力の作用で洗浄槽壁に沿って上昇し、集水リング８内に進入する。集水リング８内において、水流は止水板１３の作用で流動方向が変化し、下方に向かって排水経路５内に流入する。そして、排水経路５に沿って洗浄槽２から流出すると、止水リング１２により取り囲まれる凹溝構造に落下して、主排水口１６と洗濯機の排水管６を通じて洗濯機の外部に排出される。洗浄槽２から飛散した一部の洗浄水は、筐体１の内壁に沿って集水構造１８内に流入すると、副排水口１７から排出される。
【００４８】
更に、前記装着プレート４と止水リング１２は一体的に設計されて槽状構造を構成する。
【００４９】
以上は本発明の好ましい実施形態である。当業者であれば、本発明の原理を逸脱しないことを前提に更に様々な変形及び改良が可能であり、これらもまた本発明の保護の範囲とみなされる。例えば、排水経路は洗浄槽の外周壁に設けてもよく、前記位置の変更が当業者による本発明の技術方案の理解に影響を及ぼすことはない。
【符号の説明】
【００５０】
１    筐体
２    洗浄槽
３    動力装置
４    装着プレート
５    排水経路
６    排水管
７    バランスリング
８    集水リング
９    懸架ロッド
１０  懸架ロッドベース
１１  水路ハウジング
１２  止水リング
１３  止水板
１４  ロック機構
１５  バルブプラグ
１６  主排水口
１７  副排水口
１８  集水構造
１９  分岐管
２０  弾性懸架部材
２１  受水リング
２２  締結リング
２３  水平部
２４  環状フランジ
【図１】
0006948507.tif 000002
【図２】
0006948507.tif 000003
【図３】
0006948507.tif 000004
【図４】
0006948507.tif 000005